(57)【要約】【課題】  本発明は、アフィリエイトに用いられる商品紹介用のホームページを簡単かつ確実に作成することができるアフィリエイト用ホームページ作成支援システムの提供を課題とする。【解決手段】マーチャントサーバ１とアフィリエイトサーバ２にコンピュータ３がネットワークを介して通信可能な状態に接続され、コンピュータ３はマーチャントサーバ１における商品一覧データを取り込むデータ取込部３１、データ取込部３１により取り込まれた商品一覧データにおいて、少なくとも商品名を残すように不必要な情報を削除することにより商品一覧データを加工するデータ加工部３２、該データ加工手段３２により加工された商品一覧データに基づいて新たな商品一覧が掲載されたホームページを自動的に作成するホームページ作成部３３、ホームページ作成部３３により作成されたホームページを前記アフィリエイトサーバに送信してアップロードする通信部３４を備える。【選択図】      図１
2006323701.tif 000002
【特許請求の範囲】
【請求項１】
広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに用いられるホームページ自動作成支援システムであって、
前記マーチャントサーバおよびアフィリエイトサーバにネットワークを介して通信可能な状態に接続され、
前記マーチャントサーバにおける商品一覧データを取り込むデータ取込手段と、
該データ取込手段により取り込まれた商品一覧データにおいて、少なくとも商品名を残すように不必要な情報を削除することにより商品一覧データを加工するデータ加工手段と、
該データ加工手段により加工された商品一覧データに基づいて新たな商品一覧が掲載されたホームページを自動的に作成するホームページ作成手段と、
該ホームページ作成手段により作成されたホームページを前記アフィリエイトサーバに送信してアップロードする送信手段とを備えることを特徴とするアフィリエイト用ホームページ自動作成支援システム。
【請求項２】
前記ホームページ作成手段は、あらかじめ用意されたテンプレートに対して加工された商品一覧データを取り込むことにより、新たな商品一覧が掲載されたホームページを作成する請求項１に記載のアフィリエイト用ホームページ自動作成支援システム。
【請求項３】
前記ホームページ作成手段は、商品カテゴリごとにホームページを作成する請求項１または請求項２に記載のアフィリエイト用ホームページ自動作成支援システム。
【請求項４】
前記ホームページ作成手段は、商品カテゴリに応じたバナー広告をホームページに取り込む請求項３に記載のアフィリエイト用ホームページ自動作成支援システム。
【請求項５】
広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに用いられるホームページ自動作成支援方法であって、
前記マーチャントサーバおよびアフィリエイトサーバにコンピュータがネットワークを介して通信可能な状態に接続され、該コンピュータは、
データ取込手段により前記マーチャントサーバにおける商品一覧データを取り込むステップと、
データ加工手段により前記データ取込手段により取り込まれた商品一覧データにおいて、少なくとも商品名を残すように不必要な情報を削除することにより商品一覧データを加工するステップと、
ホームページ作成手段により前記データ加工手段により加工された商品一覧データに基づいて新たな商品一覧が掲載されたホームページを自動的に作成するステップと、
送信手段により前記ホームページ作成手段により作成されたホームページを前記アフィリエイトサーバに送信してアップロードするステップとを備えることを特徴とするアフィリエイト用ホームページ自動作成支援方法。
【請求項６】
コンピュータを、
マーチャントサーバにおける商品一覧データを取り込むデータ取込手段と、
該データ取込手段により取り込まれた商品一覧データにおいて、少なくとも商品名を残すように不必要な情報を削除することにより商品一覧データを加工するデータ加工手段と、
該データ加工手段により加工された商品一覧データに基づいて新たな商品一覧が掲載されたホームページを自動的に作成するホームページ作成手段と、
該ホームページ作成手段により作成されたホームページを前記アフィリエイトサーバに送信してアップロードする送信手段として機能させるためのプログラム。
【請求項７】
コンピュータを、
マーチャントサーバにおける商品一覧データを取り込むデータ取込手段と、
該データ取込手段により取り込まれた商品一覧データにおいて、少なくとも商品名を残すように不必要な情報を削除することにより商品一覧データを加工するデータ加工手段と、
該データ加工手段により加工された商品一覧データに基づいて新たな商品一覧が掲載されたホームページを自動的に作成するホームページ作成手段と、
該ホームページ作成手段により作成されたホームページを前記アフィリエイトサーバに送信してアップロードする送信手段として機能させるためのプログラムが記録された記録媒体。
【発明の詳細な説明】
【技術分野】
【０００１】
広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに用いられるホームページ自動作成支援システムに関する。
【背景技術】
【０００２】
近年、パソコン、通信機器、およびインターネットの普及に伴って、インターネット上にネットショップを構築し、電子データの交換により消費者のパソコンから商品の注文を行う事業が盛んになってきている。そして、このインターネット上でのネットショップのシステムの一つとして、いわゆるアフィリエイトと呼ばれるものが知られている（特許文献１参照）。
【０００３】
このアフィリエイトは、商品紹介を行うサーバ（以下、アフィリエイトサーバという）に商品紹介を依頼するサーバ（以下、マーチャントサーバという）へのリンクを張り、ユーザがそのアフィリエイトサーバを経由してマーチャントサーバで商品を購入すると、商品広告主からアフィリエイトサーバの管理者に商品紹介料が支払われるシステムである。これによれば、アフィリエイトの管理者は商品紹介料による収益を得ることができるというメリットがある。一方、商品広告主は、自己に代わって商品紹介をしてもらえることはもとより、費用対効果として実際に売上が立ってから商品広告料の支払いが発生するというメリットがある。
【０００４】
そして、一般的にはアフィリエイトにおけるホームページ作成にあたっては、マーチャントサーバにおいて各商品のリンク作成用のＨＴＭＬソースが表示されているので、そのＨＴＭＬソースをコピーして自分のウェブページに貼り付けてリンクが完成していた。
【特許文献１】特開２００４−０２１５９８号公報
【発明の開示】
【発明が解決しようとする課題】
【０００５】
しかしながら、従来のアフィリエイトにおけるホームページ作成では、リンク作成用のＨＴＭＬソースを商品ごとに一つ一つコピーして自分のウェブページに貼り付けていたので、多数の商品を紹介するホームページでは作成に多くの時間と労力がかかるという問題があった。
【０００６】
本発明は、上記問題に鑑みてなされたものであって、アフィリエイトに用いられる商品紹介用のホームページを簡単かつ確実に作成することができ、ホームページ作成の時間と労力を大幅に軽減することが可能なアフィリエイト用ホームページ自動作成支援システムの提供を課題とする。
【課題を解決するための手段】
【０００７】
本発明は、上記課題を解決するために、広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに用いられるホームページ自動作成支援システムであって、
前記マーチャントサーバおよびアフィリエイトサーバにネットワークを介して通信可能な状態に接続され、前記マーチャントサーバにおける商品一覧データを取り込むデータ取込手段と、該データ取込手段により取り込まれた商品一覧データにおいて、少なくとも商品名を残すように不必要な情報を削除することにより商品一覧データを加工するデータ加工手段と、該データ加工手段により加工された商品一覧データに基づいて新たな商品一覧が掲載されたホームページを自動的に作成するホームページ作成手段と、該ホームページ作成手段により作成されたホームページを前記アフィリエイトサーバに送信してアップロードする送信手段とを備えることを特徴とする。
【０００８】
これによれば、商品一覧データを一括して取り込み、不必要なデータを削除することによりデータを加工した上で、その加工された商品一覧データに基づいて新たな商品一覧が掲載されたホームページを自動的に作成するので、アフィリエイトに用いられる商品紹介用のホームページを簡単かつ確実に作成することができる。
【０００９】
また、前記ホームページ作成手段は、あらかじめ用意されたテンプレートに対して加工された商品一覧データを取り込むことにより、新たな商品一覧が掲載されたホームページを作成するのが好ましい。これによれば、アフィリエイトに用いられる商品紹介用のホームページをより一層簡単かつ確実に作成することができる。
【００１０】
また、前記ホームページ作成手段は、商品カテゴリごとにホームページを作成するのが好ましい。これによれば、アフィリエイトに用いられる商品紹介用のホームページを商品カテゴリごとに簡単かつ確実に作成することができる。
【００１１】
また、前記ホームページ作成手段は、商品カテゴリに応じたバナー広告をホームページに取り込むのが好ましい。これによれば、アフィリエイトに用いられる商品紹介用のホームページにバナー広告効果を持たせることができる。
【００１２】
また、本発明にかかるアフィリエイト用ホームページ自動作成支援方法は、広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに用いられるホームページ自動作成支援方法であって、
前記マーチャントサーバおよびアフィリエイトサーバにコンピュータがネットワークを介して通信可能な状態に接続され、該コンピュータは、データ取込手段により前記マーチャントサーバにおける商品一覧データを取り込むステップと、データ加工手段により前記データ取込手段により取り込まれた商品一覧データにおいて、少なくとも商品名を残すように不必要な情報を削除することにより商品一覧データを加工するステップと、ホームページ作成手段により前記データ加工手段により加工された商品一覧データに基づいて新たな商品一覧が掲載されたホームページを自動的に作成するステップと、送信手段により前記ホームページ作成手段により作成されたホームページを前記アフィリエイトサーバに送信してアップロードするステップとを備えることを特徴とする。
【００１３】
これによれば、商品一覧データを一括して取り込み、不必要なデータを削除することによりデータを加工した上で、その加工された商品一覧データに基づいて新たな商品一覧が掲載されたホームページを自動的に作成するので、アフィリエイトに用いられる商品紹介用のホームページを簡単かつ確実に作成することができる。
【００１４】
また、本発明に係るプログラムは、コンピュータを、マーチャントサーバにおける商品一覧データを取り込むデータ取込手段と、該データ取込手段により取り込まれた商品一覧データにおいて、少なくとも商品名を残すように不必要な情報を削除することにより商品一覧データを加工するデータ加工手段と、該データ加工手段により加工された商品一覧データに基づいて新たな商品一覧が掲載されたホームページを自動的に作成するホームページ作成手段と、該ホームページ作成手段により作成されたホームページを前記アフィリエイトサーバに送信してアップロードする送信手段として機能させることを特徴とする。
【００１５】
これによれば、本プログラムをコンピュータにインストールすることによって、前記アフィリエイト用ホームページ自動作成支援システムを簡単かつ確実に実現することができる。
【００１６】
また、本発明に係る記録媒体は、コンピュータを、マーチャントサーバにおける商品一覧データを取り込むデータ取込手段と、該データ取込手段により取り込まれた商品一覧データにおいて、少なくとも商品名を残すように不必要な情報を削除することにより商品一覧データを加工するデータ加工手段と、該データ加工手段により加工された商品一覧データに基づいて新たな商品一覧が掲載されたホームページを自動的に作成するホームページ作成手段と、該ホームページ作成手段により作成されたホームページを前記アフィリエイトサーバに送信してアップロードする送信手段として機能させるためのプログラムが記録されたことを特徴とする。
【００１７】
これによれば、記録媒体に記録されたプログラムをコンピュータにインストールすることによって、前記アフィリエイト用ホームページ自動作成支援システムを簡単かつ確実に実現することができる。
【発明の効果】
【００１８】
本発明によれば、商品一覧データを一括して取り込み、不必要なデータを削除することによりデータを加工した上で、その加工された商品一覧データに基づいて新たな商品一覧が掲載されたホームページを自動的に作成するので、アフィリエイトに用いられる商品紹介用のホームページを簡単かつ確実に作成することができ、ホームページ作成の時間と労力を大幅に軽減することが可能となる。このため、アフィリエイトに利用する商品紹介用のホームページを短時間で多数作成することができ、その分多くのユーザがこれらホームページがあるアフィリエイトサーバを経由してマーチャントサーバにおいて商品を購入することになるので、アフィリエイト管理者はより多くの商品紹介料の収入を得ることができる。
【発明を実施するための最良の形態】
【００１９】
次に本発明の一実施形態について図面を参照しつつ説明する。
【００２０】
図１は、本実施形態に係るアフィリエイトの全体構成を示す概略図である。
【００２１】
このアフィリエイトは、広告主の複数の商品が掲載されているマーチャントサーバ（１）と、該マーチャントサーバ（１）に代わって複数の商品を紹介するアフィリエイトサー（２）と、当該アフィリエイトに用いられる商品紹介用のホームページを自動的に作成するホームページ自動作成支援装置（システム）（３）と、検索エンジンが搭載された検索エンジンサーバ（４）と、ユーザ（Ｕ）の情報端末装置（５）（以下、ユーザ端末という）とを備えてなり、各サーバおよび装置はネットワークを介して通信可能な状態となされている。
【００２２】
なお、ネットワークは、例えばＴＣＰ／ＩＰプロトコルのインターネットといった通信網であるが、各サーバおよび装置を相互に接続可能なものであればどのようなネットワークでも適用可能である。また、本実施形態では、説明の便宜上、ユーザ端末（５）を１台としているが、通常は複数台存在するものである。
【００２３】
而して、ユーザ（Ｕ）が自己の端末（５）から検索エンジンサーバ（４）にアクセスし、検索したい商品に関する用語を入力して検索すると、該当するホームページの一覧がユーザ端末（５）に表示される。そして、ユーザ（Ｕ）が該ホームページ一覧から希望するホームページ名をクリックすると、リンク機能によりクリックされたホームページが存在するサーバ（ここではアフィリエイトサーバ（２））にアクセスし、商品紹介用のホームページがユーザ端末（５）に表示される。あるいはユーザ端末（５）がアフィリエイトサーバ（２）に直接アクセスして、商品紹介用のホームページがユーザ端末（５）に表示されてもよい。そして、ユーザが該商品紹介用のホームページにおいて希望する商品をクリックすると、同じくリンク機能によりマーチャントサーバ（ネットショップ）（１）にアクセスして、該マーチャントサーバ（１）で最終的に商品を購入すると、マーチャント側からアフィリエイト側に商品紹介料が支払われる。なお、図１において、白抜き矢印はユーザ（Ｕ）の各サーバへのアクセス経路を示し、また黒矢印はデータの授受を示すものである。
【００２４】
以下、マーチャントサーバ（１）、アフィリエイトサーバ（２）、およびホームページ自動作成支援装置（３）についてそれぞれ具体的に説明する。
【００２５】
前記マーチャントサーバ（１）は、ユーザ端末（５）からアクセスされると、商品に関する情報をユーザ端末（５）に表示させる。例えば、商品やサービスについてファッション、グルメ、インテリア、パソコン・家電・ＡＶ、ダイエット・健康、スポーツ・アウトドア、・・・と大分類のカテゴリに区分けし、さらに大分類の各カテゴリを中分類のカテゴリ（ファッションの場合にはメンズ・紳士服、レディース・婦人服、和服、カジュアル、・・・）に区分けし、場合によってはさらに小分類のカテゴリに区分けした上で、当該カテゴリごとに商品一覧画面を構成している。
【００２６】
この商品一覧画面は、図３に示すように、一般には写真、商品名、価格が掲載されている。ユーザ（Ｕ）が自己の端末（５）において商品部分をクリックすると、図４に示すように、商品の拡大写真や詳細な説明などからなる商品詳細画面が表示され、気に入ればそのまま商品を注文することができるようになっている。なお、本実施形態では、ユーザ端末（５）はマーチャントサーバ（１）に直接アクセスするのではなく、アフィリエイトサーバ（２）を経由してアクセスするものとする。
【００２７】
前記アフィリエイトサーバ（２）は、ユーザ端末（５）からアクセスされると、図５に示すような商品紹介用のホームページをユーザ端末（５）にネットワークを介して送信して表示させる。このホームページは、後述するように中央部には多数の商品からなる商品一覧が掲載されており、ユーザにより商品部分がクリックされると、当該商品部分のリンク情報によりユーザ端末（５）はマーチャントサーバ（１）にアクセスし、図４に示すように商品詳細画面がユーザ端末（５）に表示される。
【００２８】
前記ホームページ自動作成支援装置（３）は、図２に示すように、各部を統括的に制御する制御部（３０）と、マーチャントサーバ（１）における商品一覧データを取り込むデータ取込部（３１）と、該データ取込部（３１）により取り込まれた商品一覧データを加工するデータ加工部（３２）と、該データ加工部（３２）により加工された商品一覧データに基づいて新たな商品一覧が掲載されたホームページを作成するホームページ作成部（３３）と、該ホームページ作成部（３３）により作成されたホームページをアフィリエイトサーバ（２）に送信してアップロードし、ＰＩＮＧサーバに対してホームページ更新を自動通知する通信部（３４）とを備えてなる。なお、（３５）はキーボードやマウスなどの入力部、（３６）は液晶ディスプレイ等の表示部、（３７）は作成されたホームページに関する情報などを記憶する記憶部である。
【００２９】
なお、本実施形態ではホームページ自動作成支援装置（３）は汎用のコンピュータを用いているが、サーバコンピュータなどの専用のコンピュータであってもよい。制御部（３０）、データ取込部（３１）、データ加工部（３２）、ホームページ作成部（３３）は、中央演算処理装置（ＣＰＵ）からなり、ＲＯＭ（Read Only Memory）やハードディスクに記憶されたプログラムを実行する。また、記憶媒体に記憶された商品紹介管理プログラムを当該装置（３）で読み取ったり、あるいは情報端末装置からネットワークを介して送信されてきたプログラムを当該装置（３）で読み取ることにより、当該装置（３）がプログラムを実行することができる。記憶媒体は、例えば、光磁気ディスク、デジタルビデオディスク、コンパクトディスク、フロッピー（登録商標）ディスクなどがある。
【００３０】
前記データ取込部（３１）は、上述のようにマーチャントサーバ（１）における商品一覧データを取り込むものである。このマーチャントサーバ（１）における商品一覧データは、例えば、あるカテゴリの商品の写真、商品名、価格、料率、ショップ名などが掲載されたページのＨＴＭＬソースであり、その中にはアフィリエイト管理者（Ｓ）の識別タグが含まれている。
【００３１】
この識別タグは、マーチャントサーバ（１）において商品の紹介を行うアフィリエイト管理者（Ｓ）を識別するものである。商品一覧データの取り込みに際しては、図６に示すような入力画面において、取得したい商品一覧データが存在するＵＲＬが入力されれば、データ取込部（３１）がマーチャントサーバ（１）における商品一覧データを取り込むようになっている。この入力画面には、ＵＲＬを入力するための取得ＵＲＬ欄のほか、タイプ（各アフィリエイト元のタイプ）、担当者、投稿間隔（自動的に更新する場合の間隔）、メインタイトル（ホームページのタイトル）、投稿タイトル（ホームページのサブタイトル）、MAIN KEYWORD（ホームページ内のメタタグへのキーワード）、キーワード（補足的なキーワード）、フォルダー名、手動時リンクページ取得回数（商品データを何ページとりにいくか）、ループ時リンクページ取得回数（自動運行時（更新時）における商品データを何ページとりにいくか）、解析ファイル（解析結果をいれるところ）、およびスタイル（テンプレートのスタイル）を入力するための欄がそれぞれ設けられている。
【００３２】
前記データ加工部（３２）は、上述のようにデータ取込部（３１）により取り込まれたあるカテゴリの商品一覧データを加工するものである。例えば、商品一覧データから商品名を抽出するために、商品名以外の写真、価格、その他不必要な情報を削除する加工を行う。なお、本実施形態では商品名のみを抽出するものとしたが、写真や価格その他の情報が含まれるものとしてもよい。但し、一つのホームページ上にできるだけ多くの商品を一覧的に掲載するには商品名のみを抽出するのが好ましい。
【００３３】
前記ホームページ作成部（３３）は、上述のようにデータ加工部（３２）により加工された商品一覧データに基づいて新たな商品一覧が掲載されたホームページを作成するものである。このホームページは、例えば図５に示すように、サイト名や商品カテゴリの見出しが上部に表示され、中央部に新たな商品一覧が掲載されている。この商品一覧は、マーチャントサーバ（１）における商品一覧から商品名のみを抽出したものであり、各商品名にはそれぞれリンク情報が関連付けられている。
【００３４】
なお、ホームページ作成部（３３）は、あらかじめ用意されたテンプレートに対して加工された商品一覧データを取り込むことにより、新たな商品一覧が掲載されたホームページを作成してもよい。これによれば、アフィリエイトに用いられる商品紹介用のホームページをより一層簡単かつ確実に作成することができる。 また、ホームページ作成部（３３）は、商品カテゴリごとにホームページを作成するのが好ましい。これによれば、アフィリエイトに用いられる商品紹介用のホームページを商品カテゴリごとに簡単かつ確実に作成することができる。また、ホームページは、ＰＩＮＧサーバに対してホームページ更新を自動通知するためにＸＭＬ形式で作成されるのが好ましいが、ＨＴＭＬ形式などその他の形式で作成されてもよい。
【００３５】
リンク情報は、ユーザ端末（５）がアフィリエイトサーバ（２）からマーチャントサーバ（１）に接続するための情報であり、一般にはマーチャントサーバ（１）のＵＲＬから始まり末尾にはアフィリエイト管理者（Ｓ）の識別タグが付加されている。これによりユーザが当該ホームページのある商品部分をクリックすると、ユーザ端末（５）がアフィリエイトサーバ（２）からマーチャントサーバ（１）にアクセスし（リンク機能）、商品詳細画面をマーチャントサーバ（１）から受信して表示する。
【００３６】
また、このときマーチャントサーバ（１）は、リンク情報に基づいて識別子を生成し、それをユーザ端末（５）に送信する。識別子は、ユーザ端末（５）の「ｃｏｏｋｉｅ」と名付けられたファイルに保存される。以後、ユーザ端末（５）がマーチャントサーバ（１）と通信する場合には、ユーザ端末（５）はマーチャントサーバ（１）に送信する情報に識別子を付加する。このため、マーチャントサーバ（１）は、ユーザ端末（５）とデータを授受するための論理的な接続関係を設定することができる。この結果、マーチャントサーバ（１）とユーザ端末（５）との間のデータの授受がどのアフィリエイトサーバ（２）を経由したものであるかを特定することができる。このように、本実施形態では、マーチャントサーバ（１）とユーザ端末（５）との間のデータの授受がどのアフィリエイトサーバ（２）を経由したものであるかを特定するために設定されるセッションを、識別子を用いて行うようにした。しかし、リンク情報はユーザ端末（５）からマーチャントサーバ（１）へ一度送信されれば十分であり、その後のデータの授受を関連付けることができるのであれば、セッションを設定するのに用いる識別子をリンク情報に基づく必要はない。
【００３７】
前記通信部（３４）は、各種データ通信を行うほか、上述のようにホームページ作成部により作成されたホームページをアフィリエイトサーバ（２）に送信してアップロードする送信部としての機能を有する。アフィリエイトサーバ（２）にアップロードされたホームページは、アフィリエイトサーバ（２）にアクセスしてきたユーザ端末（５）に表示され各ユーザの閲覧に供される。また、通信部（３４）は、ＰＩＮＧサーバに対してホームページ更新を自動通知する機能を有する。
【００３８】
次に上記ホームページ自動作成支援装置（３）の動作について説明する。なお、以下の説明および図面において、「ステップ」を「Ｓ」と略記する。
【００３９】
まず、アフィリエイト管理者（Ｓ）が、ホームページ自動作成支援装置（３）に表示された図６に示す入力画面において、取得したい商品一覧データが存在するＵＲＬやその他の必要な情報を入力して実行すると、データ取込部（３１）がマーチャントサーバ（１）における商品一覧データを取り込む（Ｓ１）。
【００４０】
そして、前記データ加工部（３２）は、データ取込部（３１）により取り込まれたあるカテゴリの商品一覧データを加工する（Ｓ２）。例えば、商品一覧データから商品名を抽出するために、商品名以外の写真、価格、その他不必要な情報を削除する加工を行う。
【００４１】
そして、前記ホームページ作成部（３３）は、データ加工部（３２）により加工された商品一覧データに基づいて新たな商品一覧が掲載されたホームページを作成する（Ｓ３）。このホームページは、例えば図５に示すように、サイト名や商品カテゴリの見出しが上部に表示され、中央部に新たな商品一覧が掲載されている。この商品一覧は、マーチャントサーバ（１）における商品一覧から商品名のみを抽出したものであり、各商品名にはそれぞれリンク情報が関連付けられている。
【００４２】
そして、前記通信部（３４）は、各種データ通信を行うほか、上述のようにホームページ作成部により作成されたホームページをアフィリエイトサーバ（２）に送信してアップロードする（Ｓ４）。
【００４３】
このように商品一覧データを一括して取り込み、不必要なデータを削除することによりデータを加工した上で、その加工された商品一覧データに基づいて新たな商品一覧が掲載されたホームページを自動的に作成するので、アフィリエイトに用いられる商品紹介用のホームページを簡単かつ確実に作成することができ、ホームページ作成の時間と労力を大幅に軽減することが可能となる。例えば、図７は、（Ａ）本システムを利用してホームページを作成した場合と、（Ｂ）従来の手法でホームページを作成した場合とにおける１ヶ月間（４月）のユーザー数をカウントした表を示す図、図８はその表をグラフ化したものを示す図である。（Ａ）では、一つのホームページを作成するのに約１５分かかり、それを一人が８時間作成した場合を示す。（Ｂ）では、一つのホームページを作成するのに約１時間かかり、１日に７個のホームページを作成して宣伝に１時間かけた場合を示す。図７および図８に示すように、従来の手法の場合（Ｂ）に比べて本システムを利用した場合（Ａ）の方が、多くのホームページを作成できることからかなり多くのユーザ数であることがわかる。このため、アフィリエイトに利用する商品紹介用のホームページを短時間で多数作成することができ、それだけ多くのユーザがこれらホームページがあるアフィリエイトサーバを経由してマーチャントサーバにおいて商品を購入することになるので、アフィリエイト管理者はより多くの商品紹介料の収入を得ることができる。
【００４４】
なお、本実施形態では、ホームページを作成するに際して商品一覧データから不必要なデータを削除するものとしたが、それとは別に所定のデータを取り込むものとしてもよい。例えば、商品カテゴリに応じたバナー広告などを取り込むことが挙げられる。
【００４５】
また、ホームページ自動作成支援装置（システム）（３）はアフィリエイトサーバ（２）と別体としたが、その機能をアフィリエイトサーバ内に組み込んでもよい。
【００４６】
また、ホームページ自動作成支援装置（システム）（３）は、一つのコンピュータで構成するものとしたが、複数のコンピュータにわたって構成するものとしてもよい。
【産業上の利用可能性】
【００４７】
広告主の複数の商品が掲載されているマーチャントサーバと、該マーチャントサーバに代わって複数の商品を紹介するアフィリエイトサーバとを備え、ユーザの情報端末装置がアフィリエイトサーバを経由してマーチャントサーバに掲載の商品を購入した場合にマーチャントサーバ側からアフィリエイトサーバ側に商品紹介料が支払われるアフィリエイトに適用可能である。
【図面の簡単な説明】
【００４８】
【図１】本発明の一実施形態にかかるアフィリエイトの全体構成を示す概略図である。
【図２】ホームページ自動作成支援装置の機能を示すブロック図である。
【図３】マーチャントサーバにおける商品一覧画面を示す図である。
【図４】商品詳細画面を示す図である。
【図５】ホームページ自動作成支援装置により作成されたホームページを示す図である。
【図６】ホームページを作成するための入力画面を示す図である。
【図７】本システムを利用してホームページを作成した場合と、従来の手法でホームページを作成した場合とにおける１ヶ月間（４月）のユーザー数をカウントした表を示す図である。
【図８】図７の表をグラフ化したものを示す図である。
【符号の説明】
【００４９】
１・・・マーチャントサーバ
２・・・アフィリエイトサーバ
３・・・ホームページ自動作成支援装置
４・・・検索エンジンサーバ
５・・・ユーザ端末
【図１】
2006323701.tif 000003
【図２】
2006323701.tif 000004
【図３】
2006323701.tif 000005
【図４】
2006323701.tif 000006
【図５】
2006323701.tif 000007
【図６】
2006323701.tif 000008
【図７】
2006323701.tif 000009
【図８】
2006323701.tif 000010